(57)【要約】【課題】  メガネをかける人がヘッドフォンを装着した際に、イヤパッドがメガネのつる全体に干渉および圧迫することで、メガネのつる全体が側頭部および耳介を圧迫することにより生じる側頭部および耳介の痛みを飛躍的に改善したイヤパッドを提供することを目的とする。【解決手段】ヘッドフォンのイヤパッド前方にメガネのつる中央部が収まる第一のへこみと、イヤパッド後方にメガネのつる後方部が収まる第二のへこみと、を設けることで、メガネをかける人がヘッドフォンを装着した際に、メガネのつる全体がイヤパッドから干渉および圧迫されなくなり、メガネのつる全体が側頭部および耳介を圧迫しなくなることで、側頭部および耳介の痛みが飛躍的に改善され、快適に長時間使用できるようになる。【選択図】図４
2012244617.tif 000002
【特許請求の範囲】
【請求項１】
環状かつ板状であるベースパッドと、前記ベースパッドの主面上に取り付けられ、耳介に接触する環状の緩衝材であって、前方には耳介に接触したときにメガネのつる中央部との干渉を避ける第一のへこみが形成されており、後方には眼鏡のつる後方部との干渉をさける第二のへこみが外周よりも内側に形成されている緩衝材と、を備えるイヤパッド。
【請求項２】
請求項１に記載のイヤパッドと、前記イヤパッドの前記ベースパッドの外周に一端部が取り付けられ、筒状かつ柔軟性を有するシート状のハウジングカバーであって、上部と下部とに切れ込みが形成され、前記切れ込みは他端部から前記一端部に向かって形成されており、前記他端部には前記他端部を絞るための紐状体を挿通可能な折り返し部が形成されているハウジングカバーと、前記ハウジングカバーの前記上部と下部の切れ込みによって分けられた前方と後方の折り返し部にそれぞれ挿通された２本の紐状体であって、各々の両端が前記上部と下部の切れ込みに位置する２本の紐状体と、前記上部の切れ込みに位置する前記２本の紐状体の端部に取り付けられ、互いに脱着可能な上部接続部材と、前記下部の切れ込みに位置する前記２本の紐状体の端部に取り付けられ、互いに脱着可能な下部接続部材と、を備えるイヤパッドカバー。
【発明の詳細な説明】
【技術分野】
【０００１】本発明はヘッドフォンに採用可能なイヤパッド構造に関するものである。
【背景技術】
【０００２】メガネをかける人がヘッドフォンを装着する場合、イヤパッドがメガネのつるに当たることで、イヤパッドがメガネのつるを圧迫し、メガネのつるが側頭部および耳介を圧迫するため長時間使用すると非常に大きな痛みを伴っていた。
【先行技術文献】
【特許文献】
【０００３】これに対して特許文献１に示されるように、ヘッドフォンのイヤパッド前方にへこみを設けることで、メガネをかける人がヘッドフォンを装着すると、イヤパッドがメガネのつる中央部に当たらず、イヤパッドがメガネのつる中央部を圧迫しなくなり、メガネのつる中央部が側頭部および耳介を圧迫しなくなるため、痛みが生じず、メガネをかける人にとって快適な使用ができるとされている。
【特許文献１】  特開２００２−１０１４８３
【発明の概要】
【発明が解決しようとする課題】
【０００４】特許文献１に記載されているヘッドフォンはイヤパッド前方にメガネのつる中央部を干渉および圧迫しないためのへこみが設けられているが、頭部の大きさやメガネの大きさによって、メガネのつる後方部が耳介の後方に位置することとなり、メガネのつる後方部がイヤパッドに干渉すると、イヤパッドがメガネのつる後方部を圧迫し、メガネのつる後方部が側頭部および耳介を圧迫するため、大きな痛みが生じるという点に着目した。
【課題を解決するための手段】
【０００５】そこで本発明は従来の問題点を解決しようとするもので、ヘッドフォンのイヤパッドがメガネのつる中央部に干渉しないための第一のへこみと、ヘッドフォンのイヤパッドがメガネのつる後方部に干渉しないための第二のへこみと、を設ける構造とすることである。
【発明の効果】
【０００６】上記の構造によって、ヘッドフォンのイヤパッドがメガネのつる全体に干渉しなくなることで、メガネのつる全体がイヤパッドから圧迫されなくなり、メガネのつる全体が側頭部および耳介を圧迫しなくなることで、側頭部および耳介の痛みが飛躍的に改善され、快適に長時間使用できるようになる。
【図面の簡単な説明】
【０００７】以下に本発明の実施形態について図面を説明する。
【図１】本発明の実施形態１を示すイヤパッドの外観図であり、図１（ａ）が正面図、図１（ｂ）が左側面図、図１（ｃ）が右側面図
【図２】本発明の実施形態１を示すイヤパッドの斜面図
【図３】本発明の実施形態１を示すイヤパッド１が取り付けられたヘッドフォンを装着した際の、耳介とイヤパッドの配置関係を示す説明図
【図４】本発明の実施形態１を示すイヤパッド１が取り付けられたヘッドフォンの斜面図
【図５】本発明の実施形態２を示すイヤパッドカバーの外観図であり、図５（ａ）が正面図、図５（ｂ）が左側面図、図５（ｃ）が右側面図
【図６】本発明の実施形態２を示すイヤパッドカバーの斜面図
【図７】本発明の実施形態２を示すイヤパッドカバーが取り付けられたヘッドフォンの斜面図
【図８】本発明の実施形態２を示すイヤパッドカバーの後面およびヘッドフォンの関係性を示す斜面図
【発明を実施するための形態】
（実施形態１）本実施形態１の構造を説明する。図１が示すように、本発明の緩衝材の一具体例に該当する右イヤパッド１は、中央に開口部３を有した環状かつ板状であるベースパッド４と、ベースパッド４の主面上には例えば接着剤で接続された耳介１１に接触する環状の緩衝材であるクッションパッド５と、を備えるイヤパッドである。
【０００８】さらにクッションパッド５の前方には耳介１１に接触したときにメガネのつる中央部９との干渉を避ける第一のへこみ６が形成されており、クッションパッド５の後方にはメガネのつる後方部１０との干渉をさける第二のへこみ７が外周よりも内側に形成された構造である。
【０００９】前記の前方および後方については、図３が示す通り右イヤパッド１を縦に分けてメガネのつる中央部に位置する方を前方とし、メガネのつる後方部に位置する方を後方とする。
【００１０】素材について説明する。右イヤパッド１の素材は例えばポリウレタン樹脂や合成ゴムなどの素材を発泡させて柔らかくし、そのままもしくは柔軟な合成合皮や布などで外側を包みこむものとする。
【００１１】作用について説明する。図４が示すように、右イヤパッド１を例えば接着剤で接続されたヘッドフォン８をメガネをかけた人が装着すると、図３が示すようにクッションパッド５が耳介１１を包囲するように配置され、開口部３に耳介１１が収まっており、メガネのつる中央部９は第一のへこみ６に収まる位置になるように設定され、メガネのつる後方部１０は第二のへこみ７に収まる位置になるように設定されている。
【００１２】メガネのつる中央部９は第一のへこみ６に収まる位置になるように設定され、メガネのつる後方部１０は第二のへこみ７に収まる位置になるように設定されることで、メガネのつる中央部９およびメガネのつる後方部１０はクッションパッド５から干渉されなくなり、メガネのつる中央部９およびメガネのつる後方部１０はクッションパッド５から圧迫されないこととなる。
【００１３】以上のようにメガネのつる中央部９およびメガネのつる後方部１０はクッションパッド５から干渉されなくなることで圧迫されなくなり、メガネのつる中央部９およびメガネのつる後方部１０が側頭部および耳介を圧迫しなくなることで、本発明の課題である側頭部および耳介の痛みが緩和され、快適に長時間使用できるようになる。
【００１４】ここでは右耳用の右イヤパッド１について説明したが、左耳用の左イヤパッド２についても配置や構成を面対象にしておけば同様の結果を得ることができる。
【００１５】（実施形態２）本実施形態１ではヘッドフォンへの脱着が容易ではないため、本実施形態２では本発明の右イヤパッド１を容易にヘッドフォンへ脱着可能な形態に改良しようとするものである。
【００１６】その構造を説明する。図５が示す通り右イヤパッドカバー１２は、本実施形態１の構造を有した右イヤパッド１と、ベースパッド４の外周に一端部２６が例えば接着剤で接続された筒状かつ柔軟性を有するシート状の右ハウジングカバー１４と、を備えたイヤパッドカバーである。
【００１７】右ハウジングカバー１４は、上方に他端部２３から一端部２６に向かって扇状に形成された切れ込みであるアーム用切れ込み１６と、下方に他端部２３から一端部２６に向かって扇状に形成された切れ込みであるコード用切れ込み１７と、が設けられている。
【００１８】さらに他端部２３の前方には、他端部２３を折り返し、他端部２３を絞るための紐２０を挿通可能な空洞を残して例えば接着剤で接続されている紐挿通部２７が設けられ、他端部２３の後方には、他端部２３を折り返し、他端部２３を絞るための紐２０を挿通可能な空洞を残して例えば接着剤で接続されている紐挿通部２８が設けられている。
【００１９】紐２０は、紐挿通部２７、２８に挿通された２本の紐状体であり、紐２０各々の両端は、アーム用切れ込み１６およびコード用切れ込み１７に位置し、アーム用切れ込み１６に位置する紐２０の各端部には、互いに脱着可能な接続部２１が設置され、コード用切れ込み１７に位置する紐２０の各端部には互いに脱着可能な接続部２２が設置されている。
【００２０】接続部２１、２２は、例えばウエストポーチのベルトを脱着するための、例えばプラスチックで形成されたワンタッチバックルを用いるものとする。
【００２１】前記の前方および後方については、図３が示す通り右イヤパッド１を縦に分けてメガネのつる中央部に位置する方を前方とし、メガネのつる後方部に位置する方を後方とする。
【００２２】前記の上方および下方については、図５が示す通り、右イヤパッドカバー１２を横に分けて接続部２１が位置する方を上方とし、接続部２２が位置する方を下方とする。
【００２３】素材について説明する。右イヤパッド１の素材は例えばポリウレタン樹脂もしくは合成ゴムを発泡させて柔らかくし、そのままもしくは柔軟な合成合皮もしくは布で外側を包みこむものとし、右ハウジングカバー１４は柔軟な合成合皮もしくは布を用いるものとする。
【００２４】紐２０は例えば伸縮性のある合成ゴムを用いるものとする。
【００２５】次に右イヤパッドカバー１２の脱着方法について説明する。取付け方法は図８ａが示す通り接続部２１、２２を各々２つに分解し、図８ｂが示す通りベースパッド背面部２４をヘッドフォン１９のイヤパッド上面部２５に接触させ、アーム用切れ込み１６はアーム１５が位置するよう設定し、アーム１５を取り囲むように紐２０を配置させ、紐２０の両端に設置された接続部２１を合成するものとする。
【００２６】さらにコード用切れ込み１７はコード１８が位置するよう設定し、コード１８を取り囲むように紐２０を配置させ、紐２０の両端に設置された接続部２２を合成することで右イヤパッドカバー１２をヘッドフォン１９に取付け可能となる。
【００２７】取外し方法は、前記の取付け方法を反対に行う事により右イヤパッドカバー１２をヘッドフォン１９から取外し可能となる。
【００２８】作用について説明する。図７が示すように、右イヤパッドカバー１２を、前記取付け方法で取付けられたヘッドフォン１９をメガネをかけた人が装着すると、図３が示すようにクッションパッド５が耳介１１を包囲するように配置され、開口部３に耳介１１が収まっており、メガネのつる中央部９は第一のへこみ６に収まる位置になるように設定され、メガネのつる後方部１０は第二のへこみ７に収まる位置になるように設定されている。
【００２９】メガネのつる中央部９は第一のへこみ６に収まる位置になるように設定され、メガネのつる後方部１０は第二のへこみ７に収まる位置になるように設定されることで、メガネのつる中央部９およびメガネのつる後方部１０はクッションパッド５から干渉されなくなり、メガネのつる中央部９およびメガネのつる後方部１０はクッションパッド５から圧迫されないこととなる。
【００３０】以上のようにメガネのつる中央部９およびメガネのつる後方部１０はクッションパッド５から干渉されなくなることで圧迫されなくなり、メガネのつる中央部９およびメガネのつる後方部１０が側頭部および耳介を圧迫しなくなることで、本発明の課題である側頭部および耳介の痛みが緩和され、快適に長時間使用できるようになり、前記の脱着方法により右イヤパッドカバー１２をヘッドフォンへ容易に脱着することが可能となる。
【００３１】ここでは右耳用の右イヤパッドカバー１２について説明したが、左耳用の左イヤパッドカバー１３についても配置や構成を面対象にしておけば同様の結果を得ることができる。
【００３２】本実施形態１、２の部材の材料等は一例であり、これに限定されるものではない。
【００３３】本実施形態１、２のメガネのつる中央部９およびメガネのつる後方部１０の深さは一例であり、これに限定されるものではない。
【００３４】本実施形態１、２クッションパッド５は耳介よりも大きいものが望ましいが、これに限定されるものではない。
【００３５】（変形形態）本実施形態１、２ではヘッドフォンを例として説明したが、これ以外にもイヤマフもしくは耳を押さえつける装置に適用しても差し支えない。
【産業上の利用可能性】ヘッドフォンおよびイヤマフ、もしくは耳を押さえつける装置に利用できる。
【符号の説明】１      右イヤパッド
２      左イヤパッド
３      開口部
４      ベースパッド
５      クッションパッド
６      第一のへこみ
７      第二のへこみ
８      ヘッドフォン
９      メガネのつる中央部
１０    メガネのつる後方部
１１    耳介
１２    右イヤパッドカバー
１３    左イヤパッドカバー
１４    右ハウジングカバー
１５    アーム
１６    アーム用切れ込み
１７    コード用切れ込み
１８    コード
１９    ヘッドフォン
２０    紐
２１    接続部
２２    接続部
２３    他端部
２４    ベースパッド背面部
２５    イヤパッド上面部
２６    一端部
２７    紐挿通部
２８    紐挿通部
【図１】
2012244617.tif 000003
【図２】
2012244617.tif 000004
【図３】
2012244617.tif 000005
【図４】
2012244617.tif 000006
【図５】
2012244617.tif 000007
【図６】
2012244617.tif 000008
【図７】
2012244617.tif 000009
【図８】
2012244617.tif 000010
【手続補正書】
【提出日】平成24年3月8日(2012.3.8)
【手続補正１】
【補正対象書類名】特許請求の範囲
【補正対象項目名】全文
【補正方法】変更
【補正の内容】
【特許請求の範囲】
【請求項１】
環状かつ板状であるベースパッドと、前記ベースパッドの主面上に取り付けられ、耳介に接触する環状の緩衝材であって、前方には耳介に接触したときにメガネのつる中央部との干渉を避ける第一のへこみが形成されており、後方にはメガネのつる後方部との干渉をさける第二のへこみが外周よりも内側に形成されている緩衝材と、を備えるイヤパッドと、前記イヤパッドの前記ベースパッドの外周に一端部が取り付けられ、筒状かつ柔軟性を有するシート状のハウジングカバーであって、上部と下部とに切れ込みが形成され、前記切れ込みは他端部から前記一端部に向かって形成されており、前記他端部には前記他端部を絞るための紐状体を挿通可能な折り返し部が形成されているハウジングカバーと、前記ハウジングカバーの前記上部と前記下部の切れ込みによって分けられた前方と後方の折り返し部にそれぞれ挿通された２本の紐状体であって、各々の両端が前記上部と前記下部の切れ込みに位置する２本の紐状体と、前記上部の切れ込みに位置する前記２本の紐状体の端部に取り付けられ、互いに脱着可能な上部接続部材と、前記下部の切れ込みに位置する前記２本の紐状体の端部に取り付けられ、互いに脱着可能な下部接続部材と、を備えるイヤパッドカバー。
【手続補正２】
【補正対象書類名】図面
【補正対象項目名】図８
【補正方法】変更
【補正の内容】
【図８】
2012244617.tif 000011